(57)【要約】【課題】  使用後、機器上から機器側部へ移動させて、機器を段積み保管できるようにした巻取装置の構造を簡単にし、場所もとらないようにし、移動操作も簡単にする。【解決手段】  エンジン駆動式のコンプレッサ１の上面にリールブラケット６を取り付け、コンプレッサ１の前方（図の左方）上縁から突き出た位置に、ロッド棒１０を固定する。そして、その上に、フレームブラケット３を前後方向にスライド自在に配置し、それで、ドラム８を回動自在に取り付けたリールフレーム７を支持する。フレームブラケット３の側板には、スリット５が設けられ、その中にロッド棒１０を貫通させる。コンプレッサ１を保管する際は、フレームブラケット３を手前（図の左方）に引き、ロッド棒１０がスリット５の後端部に当接するまで引き出したら、ホースリール２を前側下方に倒し、コンプレッサ１を段積み保管する。【選択図】        図１
2006341949.tif 000002
【特許請求の範囲】
【請求項１】
機器の上面に取り付けられ、機器上縁から外方に突き出た位置に、機器上縁と平行にロッド棒を有するリールブラケットと、
長尺物を巻き取って貯蔵するドラムと、
該ドラムを回動自在に保持するリールフレームと、
前記リールブラケットの上で前記機器上縁から外側に突き出る方向にスライド自在に配置され、前記リールフレームの両側を側板で支持し、両側の側板の互いに対向する位置には、スライド方向にスリットが設けられ、該スリット中に前記ロッド棒を貫通させたフレームブラケット
とを具えたことを特徴とする巻取装置。
【請求項２】
前記フレームブラケットの下面に、キャスタを設けたことを特徴とする請求項１記載の巻取装置。
【請求項３】
前記スリットの外端部上方に、スリットと連続して切り欠き形成した係止部を設けたことを特徴とする請求項１又は２記載の巻取装置。
【請求項４】
前記リールブラケットの先端から上方に向けてフック状のストッパを設け、前記フレームブラケットの先端に、前記ストッパと係合するストッパ係合孔を設けたことを特徴とする請求項１，２又は３記載の巻取装置。
【発明の詳細な説明】
【技術分野】
【０００１】
本発明は、エンジンコンプレッサ，エンジン溶接機，エンジン発電機等の機器に取り付けられ、エアホース，キャブタイヤケーブル，電力ケーブル等の長尺物を繰り出し自在に貯蔵する巻取装置に関するものである。
【背景技術】
【０００２】
例えば、エンジンコンプレッサのエアホースは、コンプレッサのサービスバルブに接続して使用されるので、当然のことながらホースリールごとコンプレッサに搭載した方が便利である。しかしながら、その一方で、コンプレッサを保管する場合は、保管スペースを少なくするため、段積みする必要があるが、コンプレッサの上にホースリールが搭載されたままではホースリールがじゃまになってコンプレッサの段積みができない。そこで、コンプレッサの使用時と保管時で、ホースリールの位置を変更可能にして、段積み保管を可能にする技術がいくつか提案されている。
【０００３】
例えば、特許文献１には、図７に示すように、コンプレッサ１の上面に前後一対のガイドレール１０１を設け、コンプレッサ保管時には、ホースリール２を、リンク１０２で支えながら、ガイドレール１０１に沿って移動させて、コンプレッサ１の横位置まで引き出し、コンプレッサ１の上面に別のコンプレッサを段積みできるようにした技術が示されている。
【０００４】
また、特許文献２には、図８に示すように、コンプレッサ１上面のコーナー部分にヒンジ手段１０３を設け、コンプレッサ保管時に、該ヒンジ手段を中心にしてホースリール２を回転させて、コンプレッサ１の横位置まで移動させ、コンプレッサ１の上面に別のコンプレッサを段積みできるようにした技術が示されている。
【特許文献１】実開昭６１−１６８０７２号公報
【特許文献２】特開平１１−１９９１４１号公報
【発明の開示】
【発明が解決しようとする課題】
【０００５】
しかしながら、上記従来の巻取装置の内、特許文献１のものには、ガイドレール１０１がコンプレッサ１の幅方向に突き出るため場所をとるのと、構造が複雑で、取り扱いが粗雑な建設現場には向かないという問題点があった。また、特許文献２のものには、ホースリール２の全重量がヒンジ手段１０３を介してコンプレッサ筐体のコーナー部にかかるため、コーナー部の板金が歪みやすく、また、ホースリール２を手で持って、コンプレッサ１の上面から側面部まで上げ下げしなければならず、ホースリール２の重量が大きくなるとその操作が困難になるという問題点があった。特に、昨今、建設現場でも女性作業員が作業に従事する機会が多くなっており、女性作業員が操作する場合はその問題がより深刻である。
【０００６】
本発明は、そのような問題点に鑑み、構造が簡単で、場所もとらず、使用時と保管時の移動操作も簡単な巻取装置を提供することを目的とするものである。
【課題を解決するための手段】
【０００７】
前記課題を解決するため、請求項１に記載の巻取装置は、機器の上面に取り付けられ、機器上縁から外方に突き出た位置に、機器上縁と平行にロッド棒を有するリールブラケットと、長尺物を巻き取って貯蔵するドラムと、該ドラムを回動自在に保持するリールフレームと、前記リールブラケットの上で前記機器上縁から外側に突き出る方向にスライド自在に配置され、前記リールフレームの両側を側板で支持し、両側の側板の互いに対向する位置には、スライド方向にスリットが設けられ、該スリット中に前記ロッド棒を貫通させたフレームブラケットとを具えたことを特徴とする。
【０００８】
また、請求項２に記載の巻取装置は、前記フレームブラケットの下面に、キャスタを設けたことを特徴とする。
【０００９】
また、請求項３に記載の巻取装置は、前記スリットの外端部上方に、スリットと連続して切り欠き形成した係止部を設けたことを特徴とする。
【００１０】
また、請求項４に記載の巻取装置は、前記リールブラケットの先端から上方に向けてフック状のストッパを設け、前記フレームブラケットの先端に、前記ストッパと係合するストッパ係合孔を設けたことを特徴とする。
【発明の効果】
【００１１】
本発明の巻取装置は、次のような効果を奏する。
すなわち、請求項１に記載の巻取装置は、機器の上面に取り付けられ、機器上縁から外方に突き出た位置に、機器上縁と平行にロッド棒を有するリールブラケットの上に、ドラム及びリールフレームが保持され、スライド方向にスリットが設けられたフレームブラケットを、該スリット中に前記ロッド棒を貫通させた状態でスライド自在に配置した。その結果、機器を保管する際には、フレームブラケットを、ロッド棒がスリットの後端部に当接するまで引き出した後、ホースリールを前側下方に倒すことができ、構造が簡単で、場所もとらず、使用時と保管時の移動操作も簡単になる。
【００１２】
また、請求項２に記載の巻取装置は、前記フレームブラケットの下面に、キャスタを設けたので、スライド時の摩擦抵抗が小さくなって、フレームブラケットを引き出す作業が楽になる。
【００１３】
また、請求項３に記載の巻取装置は、前記スリットの外端部上方に、スリットと連続して切り欠き形成した係止部を設けたので、機器使用に当たり、巻取装置を機器上面に設置したとき、ロッド棒が係止部に係合して、フレームブラケットがスライド移動するのを防止できる。
【００１４】
また、請求項４に記載の巻取装置は、前記リールブラケットの先端から上方に向けてフック状のストッパを設け、前記フレームブラケットの先端に、前記ストッパと係合するストッパ係合孔を設けたので、機器使用に当たり、巻取装置を機器上面に設置したとき、ストッパをストッパ係合孔に係合させることにより、フレームブラケットがスライド移動するのを確実に防止できる。
【発明を実施するための最良の形態】
【００１５】
以下、本発明の実施例を図面に基づいて詳細に説明する。
【実施例１】
【００１６】
図１は、本発明を適用したホースリールをコンプレッサ上に設置した状態を示す図であり、図２は、ホースリールをコンプレッサの側面部に待避させた状態を示す図である。図１，２において、１はエンジンで駆動される移動式のコンプレッサ、２はコンプレッサ１に連結されたエアホースを巻き取るためのホースリールである。
【００１７】
そして、ホースリール２は、ドラム８の両側をリールフレーム７で回動自在に挟持し、ハンドル９を操作してドラム８にエアホースを巻き取るようにしている。そのホースリール２は、フレームブラケット３に取り付けられている。フレームブラケット３は、リールブラケット６の上で、コンプレッサ１の前面上縁から前側に突き出る方向にスライド自在に配置され、リールフレーム７の両側を側板で支持する。
【００１８】
図３は、フレームブラケットを示す図である。図３（イ），（ロ），（ハ）は、それぞれ、フレームブラケット３の平面図，正面図，側面図である。底板１４の両側に側板１２，１２が立設されており、その前後上端部に、連結ロッド固定孔１３，１３が設けられている。連結ロッド固定孔１３，１３には、リールフレーム７の連結ロッドがボルトで固定される。また、フレームブラケット３の両側板１２，１２の互いに対向する位置に、スライド方向にスリット５，５が設けられている。そのスリット５の前端部には、切欠部を上方に拡げる形で係止部１７が設けられている。スリット５には、リールブラケット６に取り付けられているロッド棒１０を貫通させ、フレームブラケット３は、スリット５の中のロッド棒１０にガイドされながらスライドする。
【００１９】
また、底板１４には、ボールキャスタ４を取り付けるためのボールキャスタ取付孔１５とビス孔１６が設けられており、底板１４の後端部を直角に折り曲げて形成した折曲端板２０の中央下部には、リールブラケット６に設けられた、後述するストッパを係合させるためのストッパ係合孔２１を設けている。さらに、側板１２には、それぞれ、ホースリール２をコンプレッサ１上にセットしたときと、側面部に待避させたときに、フレームブラケット３のリールブラケット６への固定用ボルト１１をねじ込むための固定ボルト孔１８，１９を設けている。
【００２０】
図４は、リールブラケットを示す図である。リールブラケット６は、底板２３をコンプレッサ１の上面に載せ、固定ボルト孔２５，２６に固定ボルトを挿通して、コンプレッサ１に締め付け固定される。該底板２３の後端部には、前記フレームブラケット３のストッパ係合孔２１に係合させるための、フック状のストッパ２４が立設されている。
【００２１】
底板２３の前端部両側には、側板２２，２２が垂直に設けられており、その上端部で互いに対向する位置には、前記ロッド棒１０を挿通するロッド挿通孔２７が設けられ、その一方には、ロッド棒１０の先端をネジ込むためのナット２８を溶接により取り付けている。そのようにして、コンプレッサ１の上縁から前方に突き出た位置に、ロッド棒１０が取り付けられるようにしている。両側板２２，２２には、さらに、フレームブラケット３の固定ボルト孔１８，１９と連通して固定ボルトを差し込むための固定ボルト挿通孔２９，３０を設けている。
【００２２】
ホースリール２，フレームブラケット３及びリールブラケット６を組み合わせて、前側から見た状態を図５に示している。リールブラケット６の側板２２，２２間に、フレームブラケット３を配置し、リールブラケット６のロッド挿通孔２７と、フレームブラケット３のスリット５とを一致させた状態で、ナット２８が固定されている側とは反対側のロッド挿通孔２７からロッド棒１０を差し込み、反対側の側板２２に取り付けられているナット２８にロッド挿通孔２７の先端部を、その先端がナット２８から突出するまでねじ込み、さらに、緩み止め用のナット３１をねじ込んで、両側の側板２２，２２間にロッド棒１０を固定する。
【００２３】
そして、リールフレーム７，７を、３本の連結ロッド３２，３２，３２で連結し、中央にドラム８を取り付けたホースリール２を、フレームブラケット３に固定する。なお、図５中、３３はゴム脚、３４はホースである。ゴム脚３３は、ホースリール２をコンプレッサ１から取り外し、横に寝かせて保管する場合に用いる。
【００２４】
次に、図１，図２を参照しながら、ホースリール２の位置移動の操作について説明する。コンプレッサ１を使用する際には、図１に示すように、ホースリール２をコンプレッサ１の上に設置する。その際、ロッド棒は、スリット５の係止部１７内にあり、ストッパ２４がフレームブラケット３のストッパ係合孔２１と係合して、フレームブラケット３が前後方向に移動しないようにロックされる。さらに、フレームブラケット３の固定ボルト孔１８とリールブラケット６の固定ボルト挿通孔２９とが一致して、それらの中に固定ボルト１１をねじ込んで、フレームブラケット３とリールブラケット６とを完全に固定する。
【００２５】
一方、コンプレッサ１を使用後、保管する場合は、固定ボルト挿通孔２９にねじ込んだ固定ボルトを取り外してから、ホースリール２の前側を少し持ち上げて、ロッド棒１０とスリット５の係止部１７との係合を外した状態で、ホースリール２を手前に引き出す。その際、フレームブラケット３の下面にボールキャスタ４があるため、あまり力をかけることなく引き出すことができる。そして、ロッド棒１０がスリット５の後端部に当接するまでホースリール２を引き出したら、図２に示すように、ホースリール２を下に倒す。そしてその時、フレームブラケット３の固定ボルト孔１９とリールブラケット６の固定ボルト挿通孔３０とが一致して、それらの中に固定ボルト１１をねじ込んで、フレームブラケット３とリールブラケット６とを完全に固定する。
【００２６】
そのようにして、ホースリール２をコンプレッサ１の側面部に移動させてから、図６に示すように、コンプレッサ１を段積みする。
【図面の簡単な説明】
【００２７】
【図１】本発明を適用したホースリールをコンプレッサ上に設置した状態を示す図である。
【図２】本発明を適用したホースリールをコンプレッサの側面部に待避させた状態を示す図である。
【図３】フレームブラケットを示す図である。
【図４】リールブラケットを示す図である。
【図５】ホースリールを示す図である。
【図６】コンプレッサを段積みした状態を示す図である。
【図７】第１従来例を示す図である。
【図８】第２従来例を示す図である。
【符号の説明】
【００２８】
１…コンプレッサ
２…ホースリール
３…フレームブラケット
４…ボールキャスタ
５…スリット
６…リールブラケット
７…リールフレーム
８…ドラム
９…ハンドル
１０…ロッド棒
１３…連結ロッド固定孔
１７…係止部
２１…ストッパ係合孔
２２…側板
２４…ストッパ
２７…ロッド挿通孔
２８…ナット
３４…ホース
【図１】
2006341949.tif 000003
【図２】
2006341949.tif 000004
【図３】
2006341949.tif 000005
【図４】
2006341949.tif 000006
【図５】
2006341949.tif 000007
【図６】
2006341949.tif 000008
【図７】
2006341949.tif 000009
【図８】
2006341949.tif 000010